(57)【要約】【課題】保守員が比較的少ない労力で短時間に映像確認及び動作条件の設定・変更を行うことにある。【解決手段】防犯場所の映像を撮影する防犯カメラ２と、防犯カメラで撮影される映像情報を記録する映像記録装置３と、映像記録装置に記録される映像情報を送信し、また映像記録装置に保存するための表示情報を受信する送受信部７と、この送受信部７を介して映像記録装置から映像情報を取り込んで表示し、また着脱自在に装填されるメモリカード５８に保存される表示情報を送受信部７を介して映像記録装置の表示用記録領域３２ｂに記録し、また動作条件要求信号を送受信部７を介して映像記録装置に要求し、当該映像記録装置から送信されてくる動作条件情報を表示部に表示する携帯端末５と、映像記録装置の表示情報を含む映像情報を表示する表示機４とを設けた防犯情報管理システムである。【選択図】    図１
2004284753.tif 000002
【特許請求の範囲】
【請求項１】
防犯を必要とする場所に取り付けられ、この防犯場所の映像を撮影する防犯カメラと、前記防犯場所と隔離された箇所に設置され、前記防犯カメラによって撮影される映像情報を記録する映像記録装置とを備えた防犯情報管理システムにおいて、
前記防犯カメラまたは防犯カメラから離れた個所に設置され、前記映像記録装置に記録される映像情報を送信し、また前記映像記録装置に保存するための表示情報を受信する第１の送受信部と、
前記映像記録装置に記録される映像情報を取り出し表示する表示指示用操作スイッチと、この表示指示用操作スイッチの操作に基づいて映像要求信号を前記第１の送受信部に向けて送信し、この映像要求信号のもとに前記映像記録装置から前記第１の送受信部を介して送信されてくる映像情報を受信する第２の送受信部と、この第２の送受信部で受信される映像情報を表示する表示部と、この表示部に表示された映像情報を記憶する記憶部とを有する携帯端末と
を備えたことを特徴とする防犯情報管理システム。
【請求項２】
請求項１に記載の防犯情報管理システムにおいて、
前記携帯端末は、当該携帯端末に着脱自在に装填されるメモリカードと、前記記憶部に記憶される映像情報を記憶させるための記憶指示用操作スイッチと、この操作スイッチの操作に基づいて前記記憶部に記憶される映像情報を前記メモリカードに保存する手段とを設けたことを特徴とする防犯情報管理システム。
【請求項３】
請求項１に記載の防犯情報管理システムにおいて、
前記携帯端末は、前記映像記録装置の動作条件の設定、確認及び変更を行うための動作条件設定用操作スイッチと、この操作スイッチの操作に基づいて動作条件要求信号を前記第１の送受信部に向けて送信し、この動作条件要求信号のもとに前記映像記録装置から前記送受信部を介して送信されてくる動作条件情報を受信する前記第２の送受信部と、この第２の送受信部で受信される動作条件情報を表示する前記表示部と、この表示部に表示される動作条件情報を必要に応じて変更し、この変更された動作条件を前記第１の送受信部に向けて送信し、前記映像記録装置に設定する手段とを設けたことを特徴とする防犯情報管理システム。
【請求項４】
防犯を必要とする場所に取り付けられ、この防犯場所の映像を撮影する防犯カメラと、前記防犯場所と隔離された箇所に設置され、前記防犯カメラによって撮影される映像情報を記録する映像記録装置とを備えた防犯情報管理システムにおいて、
前記防犯カメラまたは防犯カメラから離れた個所に設置され、映像記録装置に記録される映像情報を送信し、また前記映像記録装置に保存するための表示情報を受信する第１の送受信部と、
着脱自在に装填され、表示情報を記憶するメモリカードと、このメモリカードに記憶される表示情報を表示させるための表示指示用操作スイッチと、この表示指示用操作スイッチの操作に基づいて前記メモリカードに記憶される表示情報を読出して前記第１の送受信部を介して前記映像記録装置に送信する第２の送受信部とを有する携帯端末と、
前記防犯カメラによって撮影される映像情報を記録する撮影映像保存領域と表示用記録領域をもつ記憶装置が設けられ、前記携帯端末側から送信されてくる前記表示情報を前記表示用記録領域に記憶する前記映像記録装置と、
防犯を必要とする場所に取り付けられ、前記映像記録装置の記憶装置に記憶される映像情報及び表示情報を表示する表示機と
を備えたことを特徴とする防犯情報管理システム。
【請求項５】
請求項４に記載の防犯情報管理システムにおいて、
前記表示機付近又は表示機に着脱自在に装填され、前記映像記録装置の記憶装置に記憶される映像情報を記憶するメモリカードを設けたことを特徴とする防犯情報管理システム。
【請求項６】
請求項１ないし請求項４のいずれか一項に記載の防犯情報管理システムにおいて、
前記第１の送受信部と前記携帯端末の前記第２の送受信部との間の映像情報、表示情報、制御情報の伝送は赤外線伝送を用いることを特徴とする防犯情報管理システム。
【請求項７】
請求項１ないし請求項４のいずれか一項に記載の防犯情報管理システムにおいて、
前記映像記録装置は、予めエレベータかご特有の識別情報が記憶され、前記端末装置から前記第１の送受信部を経由して入力される識別情報と前記エレベータかご特有の識別情報とを照合し、正当な権限を有する携帯端末に使用許可を付与する手段を設けたことを特徴とする防犯情報管理システム。
【請求項８】
請求項４又は請求項５に記載の防犯情報管理システムにおいて、
前記映像記録装置は、前記記憶装置を構成する撮影映像保存領域と表示用記録領域とにそれぞれ記憶される映像情報と表示情報とを前記表示機の同一画面上に表示することを特徴とする防犯情報管理システム。
【請求項９】
請求項４又は請求項５に記載の防犯情報管理システムにおいて、
前記防犯を必要とする場所となる乗りかごに代えてエレベータホールに前記表示機及び人感センサーを設置し、当該エレベータホールに人が近づいたことを検出する人感センサーの検出信号に受けたとき、前記表示機が映像情報、表示情報を表示することを特徴とする防犯情報管理システム。
【発明の詳細な説明】
【０００１】
【発明の属する技術分野】
本発明は、防犯を必要とする場所，例えばエレベータの乗りかご等に利用される防犯情報管理システムに関する。
【０００２】
【従来の技術】
従来、エレベータの乗りかご内の犯罪を防止するために、かご内の適宜な個所に防犯カメラが取り付けられ、また乗りかご上部にハードディスクなどの映像記録装置が設置され、防犯カメラで撮影された映像情報を映像記録装置に記録し保存することが行われている。
【０００３】
ところで、防犯カメラで撮影された映像情報や映像記録装置の撮影条件を含む動作条件を確認する場合、次のような複数の確認方法が考えられている。
【０００４】
（１）  １つの映像確認方法は、保守員が定期的或いは必要なときに乗りかごの上部に上がり、映像記録装置にモニター装置を接続し、モニター装置に映し出される映像を確認する他、コマ送り速度，画質等の動作条件の設定、確認を行うサービスを実施している。
【０００５】
（２）  他の１つの映像確認方法は、乗りかご上部に設置される映像記録装置の映像出力端子からケーブルを引き出して乗りかご内に取り付けられているモニター用端子に接続し、このモニター用端子にモニター装置を接続し、映像記録装置に保存される映像を確認し、また映像記録装置から同様にケーブルを引き出して乗りかご内のリモコン用接続端子に接続し、このリモコン用接続端子にリモコン装置を接続し、映像記録装置の記録内容の検索、記録・読出しモードの設定を行っている（例えば特許文献１）。
【０００６】
（３）  さらに、他の１つの映像確認方法は、かご内に防犯カメラ及び表示機を取付けるとともに、ＬＡＮに表示機を接続し、当該表示機に防犯カメラで撮影された映像情報を表示する他、掲示板や文字放送などの映像を放映する方法も考えられている。
【０００７】
【特許文献１】
特開２０００−１４３１２８号公報（第３頁左欄１６行−２５行、図２）。
【０００８】
【発明が解決しようとする課題】
しかしながら、以上のような防犯カメラで撮影された映像情報や映像記録装置の動作条件を確認する方法には、次のような問題点が指摘されている。
【０００９】
前記（１）の映像確認方法は、保守員が乗りかごの上部に上がり、モニター装置に映し出される映像の確認、動作条件の設定、確認、その動作条件の変更を行うものであり、保守員がその都度乗りかごの上部に上がる必要があるので、映像確認等の作業が煩雑であり、またエレベータの運転を停止しなければならず、種々の時間的な制約が出てくる。さらに、エレベータの保守員以外の者が容易に映像を確認したり、動作条件の設定・確認をすることができない。
【００１０】
また、前記（２）の映像確認方法は、エレベータ保守員以外の者でも映像を確認できるが、撮影条件の確認・設定が難しいなどの問題がある。
【００１１】
また、映像記録装置に保存される映像を読み出す場合、常に別体のリモコン装置とモニター装置を携行し、リモコン用接続端子及びモニター用端子に接続しなければならず、映像の確認作業が大掛かりとなる問題がある。
【００１２】
さらに、エレベータ保守員以外の者でも映像を確認できるということは、映像漏洩という問題があり、十分にセキュリティを確保しにくい問題がある。
【００１３】
さらに、前記（３）の映像表示方法は、予めＬＡＮ通信等の設備を設ける必要があり、また表示機から一方的に防犯カメラで撮影された映像情報、ＬＡＮ上に流れる掲示板や文字放送などの映像を放映するだけであり、動作条件の設定確認及び変更を含む他の用途等に利用できないものである。
【００１４】
本発明は上記事情に鑑みてなされたもので、保守員が比較的少ない労力で短時間に防犯に係る種々の保守作業を安全に実施する防犯情報管理システムを提供することを目的とする。
【００１５】
【課題を解決するための手段】
（１）  上記課題を解決するために、防犯場所の映像を撮影する防犯カメラと、前記防犯場所と隔離された箇所に設置され、防犯カメラによって撮影される映像情報を記録する映像記録装置と、防犯カメラまたは防犯カメラから離れた個所に設置され、前記映像記録装置に記録される映像情報を送信し、また前記映像記録装置に保存するための表示情報を受信する第１の送受信部と、
前記映像記録装置に記録される映像情報を取り出し表示する表示指示用操作スイッチと、この表示指示用操作スイッチの操作に基づいて映像要求信号を前記第１の送受信部に向けて送信し、この映像要求信号のもとに前記映像記録装置から前記第１の送受信部を介して送信されてくる映像情報を受信する第２の送受信部と、この第２の送受信部で受信される映像情報を表示する表示部と、この表示部に表示された映像情報を記憶する記憶部とを有する携帯端末とを備えた防犯情報管理システムである。
【００１６】
本発明は以上のような構成とすることにより、従来のようにかご上部に上がって映像情報を確認するといった煩雑さがなく、容易に映像情報を確認でき、また保守員以外の者でも容易に映像情報を確認できる。
【００１７】
なお、前記（１）の構成の携帯端末に新たに、着脱自在に装填されるメモリカードと、前記記憶部に記憶される映像情報を記憶させるための記憶指示用操作スイッチと、この操作スイッチの操作に基づいて前記記憶部に記憶される映像情報をメモリカードに保存する手段とを設ければ、携帯端末の記憶部に記憶された映像情報をメモリカードに保存かのうとなり、これによりメモリカードを他のパソコンや大型表示装置に装填し、映像情報を詳しく調べることが可能となり、防犯上の情報の精査に大きく貢献でき、保管管理も的確に行うことが可能である。
【００１８】
また、、前記（１）の構成の携帯端末に新たに、映像記録装置の動作条件の設定、確認及び変更を行うための動作条件設定用操作スイッチと、この操作スイッチの操作に基づいて動作条件要求信号を前記第１の送受信部に向けて送信し、この動作条件要求信号のもとに前記映像記録装置から前記送受信部を介して送信されてくる動作条件情報を受信する前記第２の送受信部と、この第２の送受信部で受信される動作条件情報を表示する前記表示部と、この表示部に表示される動作条件情報を必要に応じて変更し、この変更された動作条件を前記第１の送受信部に向けて送信し、前記映像記録装置に設定する手段とを設けることにより、携帯端末側で動作条件の確認、変更を容易に行うことが可能である。
【００１９】
（２）  また、本発明に係る防犯情報管理システムは、防犯を必要とする場所に取り付けられ、この防犯場所の映像を撮影する防犯カメラと、前記防犯場所と隔離された箇所に設置され、前記防犯カメラによって撮影される映像情報を記録する映像記録装置と、防犯カメラまたは防犯カメラから離れた個所に設置され、映像記録装置に記録される映像情報を送信し、また前記映像記録装置に保存するための表示情報を受信する第１の送受信部と、
着脱自在に装填され、表示情報を記憶するメモリカードと、このメモリカードに記憶される表示情報を表示させるための表示指示用操作スイッチと、この表示指示用操作スイッチの操作に基づいて前記メモリカードに記憶される表示情報を読出して前記第１の送受信部を介して前記映像記録装置に送信する第２の送受信部とを有する携帯端末と、
前記防犯カメラによって撮影される映像情報を記録する撮影映像保存領域と表示用記録領域をもつ記憶装置が設けられ、前記携帯端末側から送信されてくる前記表示情報を前記表示用記録領域に記憶する前記映像記録装置と、
防犯を必要とする場所に取り付けられ、前記映像記録装置の記憶装置に記憶される映像情報及び表示情報を表示する表示機とを備えることにより、携帯端末から表示機に表示したい表示情報を映像記録装置経由して表示機に表示することが可能である。
【００２０】
【発明の実施の形態】
以下、本発明の実施の形態について図面を参照して説明する。
【００２１】
図１は本発明に係わる防犯情報管理システムの一実施の形態を示す構成図である。
【００２２】
この防犯映像管理システムは、防犯が必要とする場所、例えばエレベータの乗りかご１内の天井などに取り付けられる防犯カメラ２と、この防犯カメラ２で撮影された乗りかご１内の映像を記録するハードディスクレコーダなどの映像記録装置３と、この映像記録装置３に保存される映像情報及び後記する表示情報を表示する表示機４と、映像記録装置３に保存される映像情報を取り込んで表示し、また前記表示機４に表示したい表示情報を無線・有線伝送により送受信する携帯端末５とにより構成されている。
【００２３】
前記防犯カメラ２は、例えば撮像管やＣＣＤ、ＣＭＯＳなどの固体撮像デバイス等の撮像素子などを用いたビデオ、デジタルの撮像カメラであって、例えばエレベータの場合には、乗降者の手の届き難いエレベータ乗りかご内の天井に取り付けられるが、的確な映像を撮影する観点から、乗りかご内の天井であっても、比較的ドアから離れたかご内天井の比較的奥側からドア側を望むような場所に取り付けるのが望ましく、さらには正面のドアと対峙するかご内の壁面の比較的高い位置に取り付けてもよい。
【００２４】
この防犯カメラ２は、そのまま乗りかご内の天井に直付けする方法もあるが、外部から直接防犯カメラ２と判断されると防犯上好ましくないので、外側から例えば撮影上支障をきたさない材料の外装体６で防犯カメラ２を覆うことにより、自然な雰囲気の状態を保つように取り付けるのが望ましい。従って、防犯カメラ２という場合、乗りかご内に直付けする場合だけでなく、外装体６で覆う場合も含むものであり、特に請求項の記載においては、前述する両方の場合を含む。
【００２５】
この防犯カメラ２内または外装体６内には映像送受信部７が設けられている。この映像送受信部７は、携帯端末５からの要求に基づいて映像記録装置３に保存されている映像情報を携帯端末５に無線又は有線にて伝送し、また携帯端末５から表示機４に表示したい掲示板情報、所要とするメッセージ情報等の表示情報を無線又は有線にて受信し、映像記録装置３に送信する機能をもっている。
【００２６】
この映像送受信部７と映像記録装置３は映像用ケーブル８ａ及び制御用ケーブル８ｂを含む通信ケーブル８で接続され、また防犯カメラ２と映像記録装置３は撮影用ケーブル９で接続されている。
【００２７】
この映像記録装置３は、予め設定される動作条件のもとに防犯カメラ２で撮影される映像情報を記録・保存し、保存された映像情報を再生し、携帯端末５や表示機４に表示する機能を有するものであり、具体的には図２に示すように構成されている。
【００２８】
すなわち、映像記録装置３は、予め定める動作条件のもとに映像情報の記録・再生の他、携帯端末５から映像送受信部７及び制御用ケーブル８ｂを介して授受される制御信号のもとに所要の処理制御を実行するＣＰＵで構成される処理制御部３１、少なくとも映像情報を保存する撮影映像保存領域３２ａ及び携帯端末５からの表示情報を記録する表示用記録領域３２ｂを有する記憶装置３２、防犯カメラ２で撮影された映像を撮影用ケーブル９を経由して受け取り、静止映像に変換するエンコーダ（ＪＰＥＧ）３３、このエンコーダ３３により変換された静止映像を記憶装置３２の撮影映像保存領域３２ａに保存する画像処理部３４及びデコーダ３５によって構成されている。
【００２９】
なお、携帯端末５から映像記録装置３への制御信号としては、映像記録装置３の動作状態を停止したり、動作条件を変更したり、表示機４に対する表示情報の選択変更を含むものである。
【００３０】
この映像記録装置３は、自身の表示選択機能部（図示せず）により、表示用記録領域３２ｂに保存されている静止表示情報から適宜選択し、画像処理手段３４を通り、デコーダ３５でデコーディングし、表示用ケーブル１０を介して表示機４に送出する機能、携帯端末５から映像送受信部７及び映像用ケーブル８ａを経由してくる表示情報ファイルを取り込み、処理制御部３１の保存処理に基づいて記憶装置３２の表示用記録領域３２ｂに保存する機能をもっている。
【００３１】
さらに、映像記録装置３と表示機４側とは、前述する表示用ケーブル１０の他、メモリカード用ケーブル１１（１１ａ，１１ｂ）が接続されている。従って、この表示機４にはメモリカードを着脱自在に装着可能なカード装填用ポート４ａが設けられ、必要なときにカード装填用ポート４ａにメモリカードを装填し、映像記録装置３の撮影映像保存領域３２ａ及び表示用記録領域３２ｂに保存される表示情報を取り出すことが可能になっている。なお、カード装填用ポート４ａは表示機４近傍に別途設置する構成であってもよい。
【００３２】
図３は携帯端末５の一実施の形態を示す構成図である。
【００３３】
この携帯端末５は、各種の処理指示を出すために操作する操作スイッチ５１と、この操作スイッチ５１の操作による処理指示に基づいて当該携帯端末５の動作を制御するＣＰＵで構成された演算処理部５２と、前記防犯カメラ２側の映像送受信部７に対する映像情報・制御情報・表示情報等のインタフェースとなる送信・受信部５３と、演算処理部５２で演算処理された映像情報を記憶する記憶部５４と、この記憶部５４に記憶される映像情報や映像記録装置３の動作条件情報等を表示部５５に表示する表示制御部５６と、画像メモリ５７と、携帯端末５自体に着脱自在に装填され、記憶部５４に記憶されている映像情報を取り込んで記憶する他、予め格納されている表示情報フアイルを提供する保存メモリカード５８とが設けられている。ここで、表示情報フアイルを提供するとは、表示機４に表示させるための表示情報を前記防犯カメラ２側映像送受信部７を介して映像記録装置３に転送することをいう。
【００３４】
なお、前記送信受信部５３と防犯カメラ２側の映像送受信部７は例えば赤外線を用いた無線伝送が使用されるが、特に伝送形態は問わない。例えば有線による伝送であってもよい。有線による場合には、防犯カメラ２側から導出される通信ケーブル８をかご１内に引き出して接続端子に接続し、携帯端末５の送受信部５３と接続する構成であればよい。
【００３５】
次に、以上のような防犯情報管理システムの動作について説明する。
【００３６】
保守員は、例えばエレベータの保守点検時、携帯端末５を携行し、保守点検する現場に出向き、エレベータ管理人等の顧客と相談の上、保守員自ら携帯端末５を使用する。顧客に携帯端末５を提供し、使用してもらうことも可能である。
【００３７】
保守員が顧客エレベータの防犯映像を確認するとか、または表示機４に掲示板情報を表示しようとする場合、或いは顧客が携帯端末５を操作する場合であっても、セキュリティの検査を実施する。保守員が携帯端末５を操作する場合には、顧客から識別（ＩＤ）情報を聞いた後、この識別情報を入力し、前記防犯カメラ２側の映像送受信部７に赤外線伝送し、映像記録装置３に送信する。この映像記録装置３は、映像送受信部７から受け取った識別情報と予め登録されている識別情報とを照合し、正当な権限を有する者と判断された場合に限り、携帯端末５に対して使用許可を与えるセキュリティ対策をとっている。
【００３８】
以下、具体的に携帯端末５の諸機能を説明する。
【００３９】
（１）  映像記録装置３に保存される映像情報の取り出し表示について。
【００４０】
保守員が操作スイッチ５１の中の所要とする表示指示用操作スイッチを選択押圧操作すると、演算制御部５２は、映像要求であると判断し、送信受信部５３から防犯カメラ２側の映像送受信部７に向けて赤外線伝送により日時を含む、或いは含まない映像要求信号を送信する。この映像要求信号は制御用ケーブル８ｂを通って映像記録装置３に送られる。ここで、映像記録装置３２は、映像要求信号に基づいて撮影映像保存領域３２ａから映像情報を取り出し、映像用ケーブル８ａ及び映像送受信部７を経由し、携帯端末５に赤外線伝送する。つまり、映像情報の伝送動作が開始する。携帯端末５は、伝送されてくる映像情報を送信受信部５３で受信し、画像メモリ５７に順次記憶していく。
【００４１】
ここで、保守員は、操作スイッチ５１の中の所要とする表示指示用操作スイッチに対する２回目の押圧操作を行うと、演算制御部５２は、映像情報の表示であると判断し、画像メモリ５７から記憶順序に従って映像情報を読み出し、表示制御部５６を介して表示部５５に表示していく。
【００４２】
引き続き、表示指示用操作スイッチの３回目の押圧操作が行われると、演算制御部５２は、表示動作停止であると判断し、表示動作を停止する。
【００４３】
（２）  映像情報の記憶処理動作について。
【００４４】
保守員が操作スイッチ５１の中の所要とする記憶指示用操作スイッチを選択押圧操作すると、演算処理部５２は、画像メモリ５７に記憶され、或いは表示部５５に表示された映像情報の記憶指示であると判断し、当該映像情報を例えばメモリカード５８に書き込み可能な形式等に変換するとか、或いは要求内容に応じた処理を実行し、記憶部５４に記憶する。
【００４５】
引き続き、記憶指示用操作スイッチに対する２回目の押圧操作を行うと、演算処理部５２は、メモリカード５８への書き込みと判断し、記憶部５４から映像情報を読み出し、メモリカード５８に順次書き込んでいく。
【００４６】
さらに、記憶指示用操作スイッチに対する３回目の押圧操作を行うと、記憶部５４からの映像情報の読出し及びメモリカード５８への書き込みを停止する。
【００４７】
（３）  メモリカード５８の表示情報フアイルの表示機４への表示について。
【００４８】
保守員が操作スイッチ５１の中の所要とする表示指示用操作スイッチを操作すると、演算処理部５２は、メモリカード５８に保存されている例えば掲示板情報等の表示情報フアイルの表示機４への表示と判断し、メモリカード５８から表示情報フアイルを読み出し送信受信部５３から赤外線伝送により防犯カメラ２側の映像送受信部７に送信する。
【００４９】
この映像送受信部７は、受信した表示情報フアイルデータを映像用ケーブル８ａを通して映像記録装置３に送信する。この映像記録装置３は、映像用ケーブル８ａから送られてくる表示情報フアイルデータを記憶装置３２の表示用記録領域３２ｂに記録する。この映像記録装置３は、予め設定される動作条件のもとに表示用記録領域３２ｂに保存される表示情報フアイルデータを読み出し、表示用ケーブル１０を通して表示機４に表示する。
【００５０】
なお、映像記録装置３は、表示機４のオン動作確認と常時又は所定周期ごとに表示するなどの動作条件とに基づき、或いは表示機４からの表示要求に基づき、撮影映像保存領域３２ａに保存される映像情報を読み出し、表示用ケーブル１０を通して表示機４に表示するが、例えば撮影映像保存領域３２ａに保存される映像情報と表示用記録領域３２ｂに記録される表示情報とを同時に表示する場合、表示機４の画面サイズに応じて２分割し、表示機４の同一画面に同時に表示可能に加工し、表示するものである。
【００５１】
（４）  映像記録装置３の動作条件情報の読出し表示及び変更処理について。
【００５２】
保守員が操作スイッチ５１の中の所要とする動作条件設定用操作スイッチを選択操作すると、演算処理部５２は、動作条件情報読出しと判断し、送信受信部５３から防犯カメラ２側の映像送受信部７に向けて赤外線伝送により動作条件要求信号を送信する。この動作条件要求信号は制御用ケーブル８ｂを通って映像記録装置３２に送られる。ここで、映像記録装置３２は、動作条件要求信号に基づいて動作条件に係るデータを取り出し、制御用ケーブル８ｂ及び映像送受信部７を経由し、携帯端末５に赤外線伝送する。携帯端末５は、伝送されてくる動作条件に係るデータを送信受信部５３で受信し、一旦画像メモリ５７に記憶した後、表示部５５に表示する。これによって保守員は、表示部５５に表示される動作条件に係るデータを確認し、必要に応じて変更が必要であると判断したとき、操作スイッチ５１又はマウスなどを用いて条件変更を行う。
【００５３】
しかる後、動作条件設定用操作スイッチに対する２回目の操作を行うと、演算制御部５２は条件変更入力と判断し、送信受信部５３から防犯カメラ２側の映像送受信部７に向けて赤外線伝送により動作条件変更情報を送信する。この動作条件変更情報は制御用ケーブル８ｂを通って映像記録装置３２に送られる。ここで、映像記録装置３２は、動作条件変更情報を受け取り、所要とする動作条件に係るデータの上書きし、動作条件を変更する。
【００５４】
なお、動作条件に係るデータの確認後、変更必要なし或いは動作条件変更情報の設定後、所要の操作スイッチ等の操作により、動作条件の確認を終了する。
【００５５】
従って、以上のような実施の形態によれば、防犯カメラまたは防犯カメラから離れた個所に送受信部７を設け、携帯端末５から当該送受信部７に向けて無線又は有線にて映像要求を行うと、送受信部７はその要求を映像記録装置３に送信する。そして、送受信部７は、映像記録装置３から送信されてくる映像情報を携帯端末５に送信し、表示部５５に表示するので、従来のようにかご上部に上がって映像情報を確認するといった煩雑さがなく、容易に映像情報を確認でき、また保守員以外の者でも容易に確認できる。
【００５６】
また、携帯端末５には着脱自在にメモリカード５８が装填され、記憶指示用操作スイッチ５１の操作のもとに前記表示された映像情報をメモリカード５８に保存するので、メモリカード５８を他のパソコンや大型表示装置に装填し、映像情報を詳しく調べることが可能となり、防犯上の情報の精査に大きく貢献でき、保管管理も的確に行うことができる。
【００５７】
さらに、携帯端末５は、動作条件設定用操作スイッチの操作によって動作条件要求信号を前記第１の送受信部に向けて送信し、映像記録装置３から送受信部７を介して送信されてくる動作条件情報を受信し表示部５５に表示するので、保守員及び顧客を含めて比較的迅速に動作条件を確認でき、必要に応じて表示される動作条件情報を変更し、送受信部５３及び送受信部７を介して映像記録装置に設定するので、動作条件の変更も確実、かつ、迅速に実施できる。
【００５８】
さらに、携帯端末５は、表示指示用操作スイッチ５１の操作のもとにメモリカードに記憶される表示情報を送受信部７を介して映像記録装置３の表示用記録領域３２ｂに記憶することにより、映像記録装置３は、映像情報を含めて表示情報をも表示機４に表示でき、よって、表示機４に掲示板情報を始め、メッセージ情報をきわめて容易に表示できる。
【００５９】
さらに、表示機付近又は表示機に着脱自在にメモリカードを設置すれば、表示機なしでメモリカードに必要な映像情報等を保存し、前述同様の効果を奏することができる。
【００６０】
さらに、送受信部７と前記携帯端末５の送受信部５３との通信手段として、赤外線伝送を用いることにより、情報通信が見通しのできる距離に制限されるので、漏洩の心配が無く、電波の人体への影響も少ない。
【００６１】
さらに、携帯端末５を使用するに先立ち、識別情報を伝送し、映像記録装置３によるかご特有の識別情報との照合を必要とするので、セキュリティの徹底化を図ることができる。
【００６２】
なお、本願発明は、上記実施の形態に限定されるものでなく、その要旨を逸脱しない範囲で種々変形して実施できる。上記実施の形態は、乗りかご内に表示機４を設置したが、例えば乗りかごに代えてエレベータホールに表示機及び人感センサーを設置し、当該エレベータホールに人が近づいたことを検出する人感センサーの検出信号に受けたとき、表示機がオン動作し、映像情報、表示情報を表示する構成としてもよい。
【００６３】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００６４】
【発明の効果】
以上説明したように本発明によれば、保守員が比較的少ない労力で短時間に防犯に係る種々の保守作業を安全に実施できる防犯情報管理システムを提供できる。
【図面の簡単な説明】
【図１】本発明に係る防犯情報管理システムの一実施の形態を示す構成図。
【図２】図１に示す映像記録装置の一具体例を示す構成図。
【図３】図１に示す携帯端末の一具体例を示す構成図。
【符号の説明】
１…乗りかご、２…防犯カメラ、３…映像記録装置、４…表示機、５…携帯端末、７…映像送受信部、３２…記憶装置、３２ａ…撮影映像保存領域、３２ｂ…表示用記録領域、５１…操作スイッチ、５３…送受信部、５４…記憶部、５５…表示部、５８…保存メモリカード。
【図１】
2004284753.tif 000003
【図２】
2004284753.tif 000004
【図３】
2004284753.tif 000005